(57)【要約】  【課題】    フィルタに付着した塵埃を十分に除去することができる電気掃除機を提供すること。  【解決手段】 電動送風機２４を内蔵した掃除機本体１１と、電動送風機２４の上流側に配置されて塵埃を捕捉するプリーツフィルタ（フィルタ）９４とを備えた電気掃除機１０であって、プリーツフィルタ９４は、掃除機本体１１内に設けられた除塵突起８３の先端部に接触しながら移動可能に設けられ、除塵突起８３は、プリーツフィルタ９４よりも空気の流れの上流側に設けられると共に、上流側から下流側に向かって延設されている。【選択図】  図２
2007029111.tif 000002
【特許請求の範囲】
【請求項１】
電動送風機を内蔵した掃除機本体と、前記電動送風機の上流側に配置されて塵埃を捕捉するフィルタとを備えた電気掃除機であって、
前記フィルタは、前記掃除機本体内に設けられた除塵突起の先端部に接触しながら移動可能に設けられ、
前記除塵突起は、前記フィルタよりも空気の流れの上流側に設けられると共に、上流側から下流側に向かって延設されていることを特徴とする電気掃除機。
【請求項２】
請求項１に記載の電気掃除機において、前記除塵突起は、前記フィルタの下部側に接触することを特徴とする電気掃除機。
【発明の詳細な説明】
【技術分野】
【０００１】
本発明は、塵埃を捕捉するために、電動送風機の上流側に配置されたフィルタを備えた電気掃除機に関するものである。
【背景技術】
【０００２】
従来から、電気掃除機の掃除機本体内に設けられた電動送風機の吸込側である上流側に、フィルタが取り付けられていた（特許文献１参照）。
【０００３】
このフィルタは、電動送風機によって吸い込まれる空気が流れる風路を閉成するように設けられており、このフィルタの空気の流れの下流側には、フィルタに接触してこのフィルタを振動させ、フィルタに付着した塵埃を除去する突起が設けられている。
【０００４】
そして、この突起は、フィルタに対向した円盤状の回転体からフィルタに向かって突出しており、回転体の回転に連動してフィルタの下流側の面に接触することで振動させるようになっている。
【特許文献１】特開２００５−６５７７０
【発明の開示】
【発明が解決しようとする課題】
【０００５】
ところで、上述の電気掃除機では、フィルタの下流側の面に突起が接触しているため、塵埃が付着する面であるフィルタの上流側の面を十分に振動させることができなかった。
【０００６】
そのため、フィルタに付着した塵埃を十分に除去することが困難であるという問題が生じていた。
【０００７】
そこで、この発明は、フィルタに付着した塵埃を十分に除去することができる電気掃除機を提供することを課題としている。
【課題を解決するための手段】
【０００８】
上記課題を解決するために、この発明は、電動送風機を内蔵した掃除機本体と、前記電動送風機の上流側に配置されて塵埃を捕捉するフィルタとを備えた電気掃除機であって、前記フィルタは、前記掃除機本体内に設けられた除塵突起の先端部に接触しながら移動可能に設けられ、前記除塵突起は、前記フィルタよりも空気の流れの上流側に設けられると共に、上流側から下流側に向かって延設されていることを特徴としている。
【発明の効果】
【０００９】
本発明の電気掃除機によれば、塵埃の付着しやすいフィルタの上流側の面に除塵突起の先端部が接触し、この上流側の面を十分に振動させることができる。そのため、フィルタに付着した塵埃を十分に除去することができる。
【００１０】
また、除塵突起が空気の流れに沿って延設することとなり、この除塵突起が空気の流れに対向することがない。これにより、フィルタに向かって流れる塵埃が除塵突起に引っかかることを防止できると共に、空気の流れを乱すことも防止できる。
【発明を実施するための最良の形態】
【００１１】
以下、この発明に係る電気掃除機の実施例を図面に基づいて説明する。
［構  成］
図１に示す電気掃除機１０は、掃除機本体１１と、この掃除機本体１１の接続口１１Ａに一端が着脱自在に接続された集塵ホース１２と、この集塵ホース１２の他端に設けられた手元操作管１３と、手元操作管１３に着脱自在に接続された延長管１４と、延長管１４の先端部に着脱自在に接続された吸込口体１５とを備えている。
【００１２】
手元操作管１３には、操作部１３Ａが設けられており、この操作部１３Ａには後述する電動送風機２４をＯＮ／ＯＦＦ操作する操作スイッチ１３ａ等が設けられている。
【００１３】
吸込口体１５には、その底面に塵埃を吸引する図示しない吸込開口（塵埃吸込口）を有する吸込室（図示せず）が形成されており、この吸込室は延長管１４、集塵ホース１２、接続口１１Ａを順に介して掃除機本体１１内に設けた集塵ユニット５０（図２参照）の吸込接続口５５Ａに連通している。
【００１４】
掃除機本体１１は、本体ケース２０と、本体ケース２０内に着脱自在に装着される集塵ユニット５０（図２参照）と、前部が本体ケース２０にヒンジ結合されて後部側が上下方向に開閉可能となっている蓋体２１とを備えている。
【００１５】
本体ケース２０の前側には、図２ないし図５に示すように、集塵ユニット５０が着脱自在に装着される集塵ユニット室（装着部）２２が形成され、この集塵ユニット室２２の上部開口２３（図３参照）が図２に示すように蓋体２１によって密閉されている。
【００１６】
また、本体ケース２０の後側には、電動送風機２４が設けられており、この電動送風機２４の前側（図２において左側）には、前面開口２５Ｂを有する円筒状の接続風路部２５が形成されている。
【００１７】
この接続風路部２５は、内側に格子部材２５Ｋが設けられ、前面開口２５Ｂの周縁部にシール部材２６が装着されている。また、接続風路部２５の後壁２５Ａには、接続開口２５Ｃが形成されており、この接続開口２５Ｃと電動送風機２４の吸込開口２４Ａとがほぼ対向して連通している。
【００１８】
集塵ユニット室２２には、図３ないし図５に示すように、駆動ギア（第一除塵手段）２７と、この駆動ギア２７を回転させる駆動モータ（駆動源）Ｍとが設けられている。
【００１９】
集塵ユニット５０は、吸込口体１５の吸込開口（図示せず）に連通した掃除機本体１１の接続口１１Ａから電動送風機２４の吸込開口２４Ａまでの吸込風路の途中に着脱自在に装着されており、掃除機本体１１内から取り出せるようになっている。
【００２０】
また、集塵ユニット５０は、図６ないし図８に示すように、塵埃分離部５１と、この塵埃分離部５１に着脱自在に装着された集塵部７０と、塵埃分離部５１と一体となっているフィルタ部８０とから構成されている。
【００２１】
塵埃分離部５１は、円弧状の周壁部５２Ａを有する円筒状の分離室部５２と、この分離室部５２内に分離室部５２の軸線に沿って設けられたほぼ円錐形状の塵埃分離手段５３と、分離室部５２の右側壁部５２Ｂ（図７において）に設けられた吸引風路部５４と、吸込接続口５５Ａ（図６参照）から分離室部５２へ空気を案内する案内風路管５５とを有している。
【００２２】
そして、吸込接続口５５Ａは、集塵ユニット５０が掃除機本体１１の集塵ユニット室２２に装着された際に、掃除機本体１１の接続口１１Ａにほぼ対向して連通されるようになっている。
【００２３】
分離室部５２の周壁部５２Ａの上部には、図７及び図８に示すように、空気から分離された塵埃を排出する排出開口５６が形成され、この排出開口５６の周縁部にはシール部材５６Ｓ（図６参照）が装着されている。
【００２４】
また、分離室部５２の右側壁部５２Ｂ（図７において）には、案内風路管５５が接続された接続開口５７Ａ（図８参照）と、吸引風路部５４が接続された吸引開口５７Ｂ（図７参照）とが形成されている。
【００２５】
また、分離室部５２の左側壁部５２Ｃ（図７において）には開口５７Ｃが形成され、この開口５７Ｃは着脱自在に装着された蓋５８により閉塞されている。この蓋５８には塵埃分離手段５３が一体に設けられており、この蓋５８を取り外すことにより、塵埃分離手段５３が分離室部５２内から取り出せるようになっている。
【００２６】
塵埃分離手段５３は、径の異なる環状の複数のリング枠５３Ａ〜５３Ｄと、このリング枠５３Ａ〜５３Ｄを連結する複数の連結枠５３Ｅと、これら枠５３Ａ〜５３Ｅの周囲に貼り付けたネットフィルタＮＦ１とから構成されている。
【００２７】
そして、蓋５８が分離室部５２の開口５７Ｃに取り付けられているときには、塵埃分離手段５３のリング枠５３Ａが分離室部５２の吸引開口５７Ｂに接合され、吸引風路部５４が吸引開口５７Ｂ及びネットフィルタＮＦ１を介して分離室部５２に連通している。
【００２８】
吸引風路部５４は、後述するフィルタ部８０の収納ケース８１内に連通していると共に、後述する集塵ケース７０Ｋ内に連通している。また、吸引風路部５４には接続開口５４Ａ（図７参照）が形成されている。
【００２９】
案内風路管５５は、ほぼ円弧状に形成されており、分離室部５２の接続開口５７Ａから分離室部５２内へ導入される空気を図８の矢印に示すように反時計回りに回転させるようになっている。
【００３０】
集塵部７０は、図９に示すようにほぼ逆Ｌ字形に形成された集塵ケース７０Ｋから構成されている。
【００３１】
この集塵ケース７０Ｋは、上部に左右方向に延びた連通路７１（図７参照）を形成した連通ケース部７２と、この連通ケース部７２の右端部から下方に延びると共に、塵埃を集塵する集塵室７３（図７参照）を形成した集塵ケース部７４とを有している。
【００３２】
連通ケース部７２の下面には開口７２Ａが形成され、この開口７２Ａは図７に示すように、分離室部５２の排出開口５６に接続されており、分離室部５２と連通路７１とが連通している。
【００３３】
また、集塵ケース部７４の左側壁部７４Ａ（図９において）には接続開口７５が形成され、この接続開口７５の周縁部にはシール部材７５Ｓが装着されている。なお、この接続開口７５は集塵室７３に対向する位置に形成されている。
【００３４】
この接続開口７５は図７に示すように、吸引風路部５４の接続開口５４Ａに接続されており、吸引風路部５４と集塵室７３とが連通している。
【００３５】
集塵ケース部７４内には、図７に示すように接続開口７５に対向した位置にフィルタＦ１が設けられている。
【００３６】
また、集塵ケース部７４の右側面（図９において）には開口７６が形成され（図７参照）、この開口７６には蓋板７７が開閉自在に設けられている。
【００３７】
この蓋板７７の下部には、図９に示すように左方向へ延びた一対のアーム部７７Ａが形成され、各アーム部７７Ａの先端にはそれぞれ軸部７７Ｊが設けられている。この軸部７７Ｊは、集塵ケース部７４の底部に設けた軸受部７８に回動自在に保持されている。この軸部７７Ｊを中心にして蓋板７７が回動することにより、集塵ケース部７４の開口７６が開閉されるようになっている。なお、７９は連通ケース部７２の上面に形成された取手である。
【００３８】
フィルタ部８０は、図８に示すように、後面（図８において左側面）が開口された円筒状の収納ケース８１と、この収納ケース８１内に回転自在に取り付けられたプリーツフィルタ体（フィルタ）９０とを有している。
【００３９】
収納ケース８１は、塵埃分離部５１から連続して一体に形成されている。また、収納ケース８１の前壁部８２には、図１１に示すように、接続開口８２Ａが形成され、この接続開口８２Ａが吸引風路部５４に接続されている。これにより、収納ケース８１内と吸引風路部５４とが連通している。
【００４０】
さらに、前壁部８２には、図１１に示すように、後方（電動送風機２４側）に向かって延びると共に、接続開口８２Ａを挟む位置に一対の除塵突起（第三除塵手段）８３が設けられている。
【００４１】
この一対の除塵突起８３は、先端部までほぼ同径の円筒状に形成され、先端部が後述するプリーツフィルタ９４の山部９４Ａに当接するようになっている。
【００４２】
また、この一対の除塵突起８３は、それぞれプリーツフィルタ体９０の軸部９１Ａの位置よりも下側に位置しており、プリーツフィルタ体９０の下部側に接触するようになっている。
【００４３】
ここで、掃除機本体１１内を流れる空気は、集塵室７３からフィルタＦ１及び接続開口７５を通って吸引風路部５４に吸引され、さらにフィルタ部８０の収納ケース８１内へ吸引されていく。そして、収納ケース８１内へ吸引された空気は、収納ケース８１内に配置されたプリーツフィルタ体９０のプリーツフィルタ９４を通って接続風路部２５へ吸引され、さらに電動送風機２４の吸込開口２４Ａへ吸引されていくようになっている。
【００４４】
これにより、収納ケース８１の前壁部８２に形成された除塵突起８３は、プリーツフィルタ９４よりも空気の流れの上流側に位置することとなる。そして、この除塵突起８３は、塵埃が付着しやすいプリーツフィルタ９４の上流側の面に接触するようになっている。
【００４５】
さらに、この除塵突起８３は、空気の流れの下流側となる電動送風機２４側に向かって延びており、空気の流れの上流側から下流側に向かって延設され、風流れ方向に沿っている。つまり、この除塵突起８３には、空気の流れに対向して流れを遮る面（部分）がなく、プリーツフィルタ９４に向かう塵埃が引っかかることがない。
【００４６】
収納ケース８１は、図６及び図８に示すように、プリーツフィルタ体９０を回転自在に保持する筒状の保持部８５と、除塵突起８３によってプリーツフィルタ９４からかき落とされた塵埃を受ける円環状の塵埃受部８６等とを有している。
【００４７】
この塵埃受部８６は、図１４に示すように、塵埃を排出する排出口８６Ａが前壁部８２に亘って形成されている。この排出口８６Ａは、連通路５９を介して塵埃分離部５１の分離室部５２内と連通しており、塵埃受部８６に落とされた塵埃は、排出口８６Ａから分離室部５２へ排出されていくようになっている。
【００４８】
プリーツフィルタ体９０は、図１０に示すように、筒状の枠体９１と、この枠体９１内の中心位置に設けられた軸部９１Ａ（図１３参照）と、この軸部９１Ａから放射状にプリーツを形成するための複数のプリーツ骨９２、９３と、このプリーツ骨９２、９３に貼られて形成されたプリーツフィルタ９４と有している。９４Ａは、プリーツフィルタ９４の山部である。
【００４９】
このプリーツフィルタ体９０は、電動送風機２４の上流側に位置しており、電動送風機２４によって作用する吸込負圧により流れる塵埃を捕捉するものである。
【００５０】
枠体９１は、収納ケース８１の保持部８５内に回転自在に保持される筒状の摺動部９５と、この摺動部９５よりも電動送風機２４側（図１２において左側）に形成された筒状のギア部９６とを有している。
【００５１】
この摺動部９５とギア部９６とはほぼ同径であり、これらが一体となって枠体９１を形成している。
【００５２】
ギア部９６は、図６に示すように収納ケース８１の保持部８５から突出しており、この突出したギア部９６の外周面の全周には、多数のギア（第二除塵手段）９６Ａが形成されている。
【００５３】
ギア９６Ａは、集塵ユニット５０を掃除機本体１１の集塵ユニット室２２内に装着した際に、駆動ギア２７と噛合するようになっている。
【００５４】
そして、モータＭの駆動により駆動ギア２７が回転することによってギア９６Ａが相対的に移動してギア部９６が回転させられ、プリーツフィルタ体９０が収納ケース８１内で回転していくようになっている。
【００５５】
つまり、ギア部９６が回転することで、このギア部９６と一体になっている摺動部９５が保持部８５内で回転する。ここで、枠体９１にはプリーツ骨９２、９３を介してプリーツフィルタ９４が設けられているので、このプリーツフィルタ９４が枠体９１と一体に回転することとなる。
【００５６】
このとき、収納ケース８１の前壁部８２に設けられた一対の除塵突起８３の先端部がプリーツフィルタ９４の山部９４Ａに当接しているので、このプリーツフィルタ９４は、除塵突起８３の先端部に接触しながら移動可能となっている。
【００５７】
また、この枠体９１には、図１１及び図１２に示すブレード体１００が取り付けられ、プリーツフィルタ体９０と一体に回転するようになっている。
【００５８】
ブレード体１００は、図１１に示すように、プリーツフィルタ体９０の軸部９１Ａに嵌合される軸部１０１と、この軸部１０１から径方向に延びた３つのアーム部１０２と、このアーム部１０２の先端部に設けられたブレード１０３とを有している。
【００５９】
なお、アーム部１０２は、先端部が二股に分かれて形成された一対のアーム部材１０２Ａによって形成されている。
【００６０】
そして、ブレード体１００の軸部１０１を枠体９１の軸部９１Ａに嵌合させることにより、図１３に示すように、ブレード体１００はプリーツフィルタ体９０に重ね合わせられている。これにより、ブレード体１００とプリーツフィルタ体９０とが、一体になって回転可能となっている。
【００６１】
ブレード１０３は、図１２に示すように、収納ケース８１の前壁部８２に沿って摺接移動する平板部１０３Ａと、この平板部１０３Ａの先端に形成されると共に収納ケース８１の塵埃受部８６の上面を摺接移動する円弧状の摺接部１０３Ｂと、平板部１０３Ａの一側部に形成されると共に塵埃受部８６上に溜まった塵埃を排出口８６Ａへ掃き出していく掃出部１０３Ｃとを有している。
【００６２】
そして、プリーツフィルタ体９０が回転すると、ブレード１０３が塵埃受部８６の上面を摺接移動し、掃出部１０３Ｃによって塵埃を排出口８６Ａへ排出するようになっている。
【００６３】
駆動ギア２７は、図６に示すようにギア９６Ａの回転中心である枠体９１の軸部９１Ａ（プリーツフィルタ９４の回転軸線Ｏ´、図１０参照）より下側の位置に配置されている。すなわち、ギア９６Ａの回転中心に対して集塵ユニット５０の装着方向と反対側に駆動ギア２７が設けられている。
【００６４】
また、掃除機本体１１の集塵ユニット室２２に対する集塵ユニット５０の着脱方向は上下方向であり、プリーツフィルタ９４の回転軸線Ｏ´と直交する方向に設定されている。
【００６５】
そして、集塵ユニット５０を掃除機本体１１の集塵ユニット室２２に装着すると、掃除機本体１１の接続風路部２５の前面開口２５Ｂにシール部材２６を介して保持部８５が接続され、接続風路部２５内と集塵ユニット５０の収納ケース８１内とが連通される。また、ギア９６Ａは駆動ギア２７に噛合する。
【００６６】
一方、集塵ユニット室２２から集塵ユニット５０を持ち上げると、ギア９６Ａは駆動ギア２７から外れて、集塵ユニット５０は集塵ユニット室２２から簡単に取り外せるようになっている。
［動  作］
次に、上記のように構成される電気掃除機の動作について説明する。
【００６７】
まず、図２に示すように、集塵ユニット５０を掃除機本体１１の集塵ユニット室２２に装着し、図１に示すように集塵ホース１２を掃除機本体１１の接続口１１Ａに接続すると共に、手元操作管１３に延長管１４を介して吸込口体１５を接続する。
【００６８】
そして、電源プラグ（図示せず）をコンセント（図示せず）に接続してから手元操作管１３の操作部１３Ａのスイッチ１３ａをＯＮ操作すると、電動送風機２４が回転駆動する。
【００６９】
この電動送風機２４の駆動により、電動送風機２４の吸込開口２４Ａから空気が吸い込まれ、接続風路部２５を介して集塵ユニット５０の収納ケース８１内に吸込負圧が作用する。収納ケース８１内に作用した吸込負圧は、接続開口８２Ａから吸引風路部５４を介して集塵ケース７０Ｋ内や塵埃分離部５１の分離室部５２に作用する。
【００７０】
そして、この吸込負圧は、案内風路管５５を介して集塵ホース１２、延長管１４及び吸込口体１５に順に作用する。これにより、吸込口体１５の吸込開口（図示せず）から空気と共に塵埃が吸引されていく。
【００７１】
この吸引された塵埃及び空気は、延長管１４、集塵ホース１２を順に介して集塵ユニット５０の吸込接続口５５Ａへ吸引されていく。吸込接続口５５Ａへ吸引された塵埃及び空気は、案内風路管５５を通って塵埃分離部５１の分離室部５２内へ導入され、この分離室部５２内では周壁部５２Ａに沿いながら図８において反時計回りに回転していく。
【００７２】
そして、この回転により塵埃と空気の一部とが分離され、分離された空気が図７に示す塵埃分離手段５３のネットフィルタＮＦ１を通り、さらに吸引風路部５４を通ってフィルタ部８０の収納ケース８１内へ吸引されていく。
【００７３】
他方、分離されなかった塵埃及び空気はその回転により分離室部５２の排出開口５６から集塵部７０の連通ケース部７２内へ排出される。この排出された塵埃及び空気は連通ケース部７２の連通路７１を通って集塵室７３へ吸引されていき、塵埃は集塵室７３に集塵されていく。
【００７４】
また、集塵室７３へ吸引された空気は、フィルタＦ１及び接続開口７５を通って吸引風路部５４に吸引され、さらにフィルタ部８０の収納ケース８１内へ吸引されていく。
【００７５】
収納ケース８１内へ吸引された空気は、プリーツフィルタ体９０のプリーツフィルタ９４を通って掃除機本体１１の接続風路部２５へ吸引され、さらに電動送風機２４の吸込開口２４Ａへ吸引されていく。
【００７６】
そして、電動送風機２４の吸込開口２４Ａへ吸引された空気は電動送風機２４内を通って図２に示す掃除機本体１１の排気口２０Ｈから排気されていく。
【００７７】
ここで、収納ケース８１の前壁部８２に形成された除塵突起８３が、プリーツフィルタ９４よりも空気の流れの上流側に位置しているので、この除塵突起８３の先端部は、塵埃の付着しやすいプリーツフィルタ９４の上流側の面に接触することとなる。
【００７８】
そのため、除塵突起８３が接触しているこの上流側の面を十分に振動させることができ、プリーツフィルタ９４に付着した塵埃を十分に除去することができる。
【００７９】
また、この除塵突起８３は、空気の流れの上流側から下流側に向かって延設されているので、掃除機本体１１内を流れる空気の流れに沿って延びることとなり、この除塵突起８３が空気の流れに対向して、この空気の流れを遮ることがない。
【００８０】
これにより、プリーツフィルタ９４に向かって流れる塵埃が、プリーツフィルタ９４よりも上流側に位置した除塵突起８３に引っかかることを防止できると共に、空気の流れを乱すことも防止できる。
【００８１】
そして、掃除が終了したら操作部１３Ａの操作スイッチ１３ａをＯＦＦ操作し、電動送風機２４の駆動が停止する。
【００８２】
電動送風機２４の駆動が停止すると、図示しない制御装置から駆動モータＭを駆動させるモータ駆動信号が出力される。
【００８３】
モータ駆動信号が入力された駆動モータＭは回転し、駆動ギア２７を回転させる。そして、回転した駆動ギア２７によって、プリーツフィルタ体９０のギア９６Ａが回転させられ、プリーツフィルタ９４が回転することとなる。
【００８４】
ここで、プリーツフィルタ９４の山部９４Ａには除塵突起８３が当接しており、プリーツフィルタ９４が除塵突起８３の先端部に接触しながら移動可能となっているので、プリーツフィルタ９４の回転に伴って、この除塵突起８３の先端部は当接する山部９４Ａを相対的に乗り越えていく。
【００８５】
そして、除塵突起８３が山部９４Ａを乗り越える際に、プリーツフィルタ９４には振動が与えられ、この振動によってプリーツフィルタ９４に付着した塵埃が振り落とされて除去される。
【００８６】
このように、駆動モータＭによって第一除塵手段である駆動ギア２７が回転させられると、この回転に伴って第二除塵手段であるギア９６Ａが回転し、これにより第三除塵手段である除塵突起８３がプリーツフィルタ９４に弾発的に当接して塵埃を除去するようになっている。つまり、駆動ギア２７、ギア９６Ａ、除塵突起８３が相互に関係してプリーツフィルタ９４に付着した塵埃を除去する。
【００８７】
ここで、除塵突起８３は、プリーツフィルタ体９０の軸部９１Ａの位置よりも下側に位置しており、プリーツフィルタ体９０の下部側に接触するようになっている。
【００８８】
これにより、プリーツフィルタ９４の下部側に振動が与えられ、この下部側に付着した塵埃が振り落とされることとなる。
【００８９】
そのため、振り落とされた塵埃は塵埃受部８６に直接落下することができ、この落下の途中でプリーツフィルタ９４に再び付着することがなく、プリーツフィルタ９４に付着した塵埃をより確実に効率よく除去することができる。
【００９０】
以上説明したように、この発明の電気掃除機１０は、電動送風機２４を内蔵した掃除機本体１１と、電動送風機２４の上流側に配置されて塵埃を捕捉するフィルタであるプリーツフィルタ９４とを備えており、プリーツフィルタ９４は、掃除機本体１１内に設けられた除塵突起８３の先端部に接触しながら移動可能に設けられ、この除塵突起８３は、プリーツフィルタ９４よりも空気の流れの上流側に設けられると共に、上流側から下流側に向かって延設されている。
【００９１】
これにより、除塵突起８３の先端部が塵埃の付着しやすいプリーツフィルタ９４の上流側の面に接触することができ、このプリーツフィルタ９４の上流側の面を十分に振動させることができる。そのため、プリーツフィルタ９４に付着した塵埃を十分に除去することができる。
【００９２】
さらに、空気の流れの上流側から下流側に向かって延設された除塵突起８３は、空気の流れに沿って延びることとなり、除塵突起８３が空気の流れに対向することがなくなる。そのため、除塵突起８３によって塵埃の付着しやすい上流側の面を振動すると同時に、プリーツフィルタ９４に向かって流れる塵埃が除塵突起８３に引っかかることを防止できる。さらに、空気の流れを乱すことも防止し、騒音の発生も抑制可能である。
【００９３】
また、この電気掃除機１０では、除塵突起８３がプリーツフィルタ９４の下部側に接触するようになっている。
【００９４】
これにより、プリーツフィルタ９４の下部側に振動が与えられて、プリーツフィルタ９４から振り落とされた塵埃が、塵埃受部８６に直接落下することができる。そのため、プリーツフィルタ９４から除去された塵埃が、落下の途中で再びプリーツフィルタ９４に付着することがなく、確実に塵埃を除去することができる。
【００９５】
以上、この発明にかかる実施の形態を図面により詳述してきたが、具体的な構成は上述の実施の形態に限らない。この発明の要旨を逸脱しない範囲の設計の変更等はこの発明に含まれる。
【００９６】
例えば、上述の実施例では、除塵突起８３が先端部までほぼ同径の円筒状に形成されているが、これに限らず、図１５に示すように、収納ケース８１の前壁部８２から収納ケース８１の周面近傍にまで亘るリブ状の除塵突起８３Ａであってもよい。なお、この除塵突起８３Ａは、塵埃受部８６に摺接しながら移動するブレード体１００を阻害しないように、突出量を次第に減少させている。
【００９７】
収納ケース８１の周面に亘るリブ状に形成することにより除塵突起８３Ａが撓みにくくなり、プリーツフィルタ９４により強い振動力を付与することができる。そのため、塵埃を除去する力が強くなり、より確実に塵埃を除去することが可能となる。
【００９８】
さらに、除塵突起８３は、先端部を膨張させたいわゆるマッチ棒形状を呈していてもよい。この場合では、プリーツフィルタ９４に接触する除塵突起８３の先端部が大きくなっているので、より強い振動をプリーツフィルタ９４に付与することが可能となる。
【００９９】
また、上述の実施例では、掃除機本体１１がいわゆるキャニスタータイプのものであるが、これに限らず、掃除機本体が被清掃面に面する吸込口体の上方に位置するいわゆるアップライト式の電気掃除機であってもよい。
【図面の簡単な説明】
【０１００】
【図１】この発明に係る電機掃除機の外観を示した斜視図である。
【図２】図１に示す掃除機本体の構成を示した縦断面図である。
【図３】蓋体及び集塵ユニットを取り外した掃除機本体を示した斜視図である。
【図４】図３に示す掃除機本体の縦断面斜視図である。
【図５】蓋体及び集塵ユニットを取り外した掃除機本体の縦断面図である。
【図６】集塵ユニットの外観を示した斜視図である。
【図７】図６に示す集塵ユニットの横断面図である。
【図８】図６に示す集塵ユニットの縦断面斜視図である。
【図９】集塵部の外観を示した斜視図である。
【図１０】プリーツフィルタ体を示した側面図である。
【図１１】収納ケースの前壁部を示した説明図である。
【図１２】塵埃受部とブレード体との位置関係を示した説明図である。
【図１３】プリーツフィルタ体のプリーツフィルタとブレード体とが重ねられた状態を示す一部を破断した説明図である。
【図１４】収納ケースと塵埃分離部とを示した斜視図である。
【図１５】除塵突起の他の例を示す説明図である。
【符号の説明】
【０１０１】
１０          電気掃除機
１１          掃除機本体
２４        電動送風機
８３        除塵突起
９４        プリーツフィルタ（フィルタ）
【図１】
2007029111.tif 000003
【図２】
2007029111.tif 000004
【図３】
2007029111.tif 000005
【図４】
2007029111.tif 000006
【図５】
2007029111.tif 000007
【図６】
2007029111.tif 000008
【図７】
2007029111.tif 000009
【図８】
2007029111.tif 000010
【図９】
2007029111.tif 000011
【図１０】
2007029111.tif 000012
【図１１】
2007029111.tif 000013
【図１２】
2007029111.tif 000014
【図１４】
2007029111.tif 000015
【図１３】
2007029111.tif 000016
【図１５】
2007029111.tif 000017